(57)【要約】【課題】ケース本体の表側からの見栄えを向上させることができるネオン管組込ユニットを提供する。【解決手段】ネオン管１５Ｂ，１５Ｇ，１５Ｒを収容する箱状をなすケース本体１２と、ケース本体１２から導出されネオン管１５Ｂ，１５Ｇ，１５Ｒに電力を供給するための電線１９とを備えたネオン管組込ユニット１１において、ケース本体１２の側面２３は、本体側面２３ａと、該本体側面２３ａよりも内側に設けられると共にケース本体１２の裏面２６と繋がるように設けられた段部側面２３ｂと、該段部側面２３ｂと本体側面２３ａとを繋ぐ段部裏面２３ｃとを備えた。【選択図】      図１
2006066213.tif 000002
【特許請求の範囲】
【請求項１】
ネオン管を収容する箱状をなすケース本体と、前記ケース本体から導出され前記ネオン管に電力を供給するための電線とを備えたネオン管組込ユニットにおいて、
前記ケース本体を構成する複数の側面のうち少なくとも一つの側面は、本体側面と、該本体側面よりも内側に設けられると共に前記ケース本体の裏面と繋がるように設けられた段部側面と、該段部側面と前記本体側面とを繋ぐ段部裏面とを備えたことを特徴とするネオン管組込ユニット。
【請求項２】
前記段部側面及び前記段部裏面のうち少なくとも何れか一方には、前記ケース本体の内外を貫通し前記電線を導出するための貫通孔を設けたことを特徴とする請求項１に記載のネオン管組込ユニット。
【請求項３】
前記ケース本体は、その幅方向において互いに反対に位置する一対の面である第１側面と第２側面とを備え、かつその高さ方向において互いに反対に位置する一対の面である表面と前記裏面とを備え、
前記第１側面には、該第１側面から突出するようにかつその一側面が前記裏面と面一となるように設けられた鍔部を備え、
前記裏面は、本体裏面と、該本体裏面よりも前記表面側に設けられると共に前記第２側面と繋がるように設けられた鍔収容段部裏面と、該鍔収容段部裏面と前記本体裏面とを繋ぐ鍔収容段部側面とを備え、
前記高さ方向における前記鍔部の長さは、前記高さ方向における前記本体裏面から前記鍔収容段部裏面までの長さ以下となるように設けたことを特徴とする請求項１又は請求項２に記載のネオン管組込ユニット。
【請求項４】
前記鍔部には、締結体を挿通可能な挿通孔を形成したことを特徴とする請求項３に記載のネオン管組込ユニット。
【請求項５】
前記鍔収容段部裏面には、締結体を挿通可能な挿通孔を有する締結片が固定され、
前記高さ方向における前記締結片の長さと、前記高さ方向における前記本体裏面から前記鍔収容段部裏面までの長さとを同じとなるように設けたことを特徴とする請求項３又は請求項４に記載のネオン管組込ユニット。
【請求項６】
前記幅方向と直交する方向である長さ方向において、前記鍔部と前記締結片との形成位置を互いに干渉しない位置に設けたことを特徴とする請求項５に記載のネオン管組込ユニット。
【発明の詳細な説明】
【技術分野】
【０００１】
本発明は、内部にネオン管を配置したネオン管組込ユニットに関するものである。
【背景技術】
【０００２】
近年、内部にネオン管を配置し、そのネオン管を点灯させることにより光の演出を行うネオン管組込ユニットが提案されている（例えば、特許文献１参照。）。この特許文献１のネオン管組込ユニットは、長尺な容器と、その容器内に配置された３つのネオン管（それぞれ赤色、緑色、青色に発光する）と、各ネオン管に電気的に接続されると共に容器の側面から導出された電源コードとを備えている。
【特許文献１】特開平１０−１２０２９号公報
【発明の開示】
【発明が解決しようとする課題】
【０００３】
ところが、特許文献１のネオン管組込ユニットは、容器本体の表側から該ネオン管組込ユニットを見た際に、容器の側面から導出された電源コード全体が見えてしまい、見栄えを損なうという問題があった。
【０００４】
本発明は、前述した事情に鑑みてなされたものであって、その目的はケース本体の表側からの見栄えを向上させることができるネオン管組込ユニットを提供することにある。
【課題を解決するための手段】
【０００５】
上記目的を達成するために、請求項１に記載の発明は、ネオン管を収容する箱状をなすケース本体と、前記ケース本体から導出され前記ネオン管に電力を供給するための電線とを備えたネオン管組込ユニットにおいて、前記ケース本体を構成する複数の側面のうち少なくとも一つの側面は、本体側面と、該本体側面よりも内側に設けられると共に前記ケース本体の裏面と繋がるように設けられた段部側面と、該段部側面と前記本体側面とを繋ぐ段部裏面とを備えた。
【０００６】
請求項２に記載の発明は、請求項１に記載の発明において、前記段部側面及び前記段部裏面のうち少なくとも何れか一方には、前記ケース本体の内外を貫通し前記電線を導出するための貫通孔を設けた。
【０００７】
請求項３に記載の発明は、請求項１又は請求項２に記載の発明において、前記ケース本体は、その幅方向において互いに反対に位置する一対の面である第１側面と第２側面とを備え、かつその高さ方向において互いに反対に位置する一対の面である表面と前記裏面とを備え、前記第１側面には、該第１側面から突出するようにかつその一側面が前記裏面と面一となるように設けられた鍔部を備え、前記裏面は、本体裏面と、該本体裏面よりも前記表面側に設けられると共に前記第２側面と繋がるように設けられた鍔収容段部裏面と、該鍔収容段部裏面と前記本体裏面とを繋ぐ鍔収容段部側面とを備え、前記高さ方向における前記鍔部の長さは、前記高さ方向における前記本体裏面から前記鍔収容段部裏面までの長さ以下となるように設けた。
【０００８】
請求項４に記載の発明は、請求項３に記載の発明において、前記鍔部には、締結体を挿通可能な挿通孔を形成した。
請求項５に記載の発明は、請求項３又は請求項４に記載の発明において、前記鍔収容段部裏面には、締結体を挿通可能な挿通孔を有する締結片が固定され、前記高さ方向における前記締結片の長さと、前記高さ方向における前記本体裏面から前記鍔収容段部裏面までの長さとを同じとなるように設けた。
【０００９】
請求項６に記載の発明は、請求項５に記載の発明において、前記幅方向と直交する方向である長さ方向において、前記鍔部と前記締結片との形成位置を互いに干渉しない位置に設けた。
【００１０】
（作用）
請求項１に記載の発明によれば以下に示す作用を得る。ケース本体から導出した電線を段部側面と段部裏面とがなす空間に配置することができるため、導出した電線の大部分をケース本体の表側から見えないように配置することが可能となる。
【００１１】
請求項２に記載の発明によれば、請求項１に記載の発明の作用に加えて以下に示す作用を得る。貫通孔を介してケース本体内からケース本体外へ導出した電線は、その全体を段部側面と段部裏面とがなす空間に配置することができるため、ケース本体の表側から電線を全く見えないように配置することが可能となる。そのため、ケース本体の表側からの見栄えをよりいっそう向上させることができる。
【００１２】
請求項３に記載の発明によれば、請求項１又は請求項２に記載の発明の作用に加えて以下に示す作用を得る。２つのネオン管組込ユニットを密着状態で配列して壁に固定する場合に以下に示すようにして固定することが可能となる。一つ目のネオン管組込ユニットを壁に固定した後、二つ目のネオン管組込ユニットを固定する際に、一つ目のネオン管組込ユニットの鍔収容段部裏面と壁とがなす隙間に二つ目のネオン管組込ユニットの鍔部を挿入することにより、壁の表面と直交する方向におけるその鍔部の移動を抑制することが可能となる。即ち、二つ目のネオン管組込ユニットの鍔部は、壁に対して固定されるのではなく、一つ目のネオン管組込ユニットの鍔収容段部裏面に係止することで固定される。そのため、二つ目のネオン管組込ユニットの鍔部を壁に固定するために、締結体などを用いる必要がない。そのため、締結体の使用数量、及び組み付け工数を削減することが可能となる。
【００１３】
請求項４に記載の発明によれば、請求項３に記載の発明の作用に加えて以下に示す作用を得る。鍔部の挿通孔に締結体を挿通して、ネオン管組込ユニットを壁などに固定することが可能となる。
【００１４】
請求項５に記載の発明によれば、請求項３又は請求項４に記載の発明の作用に加えて以下に示す作用を得る。締結片の挿通孔に締結体を挿通して、ネオン管組込ユニットを壁などに固定することが可能となる。
【００１５】
請求項６に記載の発明によれば、請求項５に記載の発明の作用に加えて以下に示す作用を得る。複数のネオン管組込ユニットを密着状態で配列して壁に固定する場合に、互いに隣り合う一方のネオン管組込ユニットの鍔部と他方のネオン管組込ユニットの締結片とが互いに干渉せず、好適に各ネオン管組込ユニットを配列することが可能となる。
【発明の効果】
【００１６】
本発明によれば、ケース本体の表側からの見栄えを向上させることができる。
【発明を実施するための最良の形態】
【００１７】
以下、本発明を具体化した一実施形態を図１〜図７に従って説明する。
図１（ａ），（ｂ）及び図２（ａ），（ｂ）に示すように、ネオン管組込ユニット１１は、ケース本体１２、カバー１３、一対のスペーサ１４、ネオン管１５Ｒ，１５Ｂ，１５Ｇ、一対の載置板１６、インバータ１７を備えている。ネオン管組込ユニット１１は、長尺な略箱形形状に形成されている。ケース本体１２は、表面側が開口した略箱形形状に形成されている。ケース本体１２の開口部分には、透明な合成樹脂製のカバー１３が固定されている。ケース本体１２とカバー１３とがなす空間には、一対のスペーサ１４、ネオン管１５Ｒ，１５Ｂ，１５Ｇ、一対の載置板１６、インバータ１７が配置されている。両スペーサ１４は、ケース本体１２内の長さ方向Ｌ（図２（ｂ）における左右方向）の両側にそれぞれ配置されている。
【００１８】
図２（ｂ）、図３及び図４に示すように、この両スペーサ１４は、各ネオン管１５Ｒ，１５Ｂ，１５Ｇの互いの間隔を保持するためのものである。両スペーサ１４には、各ネオン管１５Ｒ，１５Ｂ，１５Ｇの両端がそれぞれ収容されている。詳述すると、各ネオン管１５Ｒ，１５Ｂ，１５Ｇの両端側は、それぞれＪ字状に湾曲するように形成され、その湾曲した部分から端部にかけた部分がスペーサ１４に収容されている。スペーサ１４の上部には、載置板１６が嵌められている。この載置板１６とカバー１３との間に各ネオン管１５Ｒ，１５Ｂ，１５Ｇの一部が配置されていることにより、高さ方向Ｈ（図３の上下方向）における各ネオン管１５Ｒ，１５Ｂ，１５Ｇの移動を規制している。
【００１９】
図２（ｂ）に示すように、各ネオン管１５Ｒ，１５Ｂ，１５Ｇの両端には、電源端子１８がそれぞれ形成されている。各電源端子１８は、インバータ１７に接続されている。インバータ１７は、各ネオン管１５Ｒ，１５Ｂ，１５Ｇの点灯を制御するための装置である。インバータ１７には、電線１９が接続されている。電線１９は、ケース本体１２に形成された貫通孔２０（後で詳述する）を介して、ケース本体１２内からケース本体１２外へ導出されている。このように構成されたネオン管組込ユニット１１は、電線１９を介して電力が供給されると、インバータ１７により各ネオン管１５Ｒ，１５Ｂ，１５Ｇの点灯が制御される。各ネオン管１５Ｒ，１５Ｂ，１５Ｇが発する光が、カバー１３を透過することにより光の演出が行われる。
【００２０】
次に、ケース本体１２の構成について詳述する。
図１（ａ），（ｂ）、図２（ａ），（ｂ）、図３に示すように、ケース本体１２は、表面２１、４つの側面２２，２３，２４，２５、裏面２６を備えている。側面２２は、第２側面に相当する。表面２１及び裏面２６は、ケース本体１２の高さ方向Ｈにおける互いに反対側に位置するように形成されている。側面２２，２３は、ケース本体１２の幅方向Ｗ（図３の左右方向）における互いに反対側に位置するように形成されている。側面２４，２５は、ケース本体１２の長さ方向Ｌにおける互いに反対側に位置するように形成されている。側面２２，２３は、側面２４，２５に比して長尺となるように形成されている。側面２３は、本体側面２３ａ、段部側面２３ｂ、段部裏面２３ｃを備えている。段部側面２３ｂは第１側面に相当する。本体側面２３ａは、側面２３の大部分を占めるものであり、かつ側面２３の表面２１側を構成している。段部側面２３ｂは、本体側面２３ａよりも内側（図３における左側）に形成されると共に、裏面２６に繋がるように形成されている。段部裏面２３ｃは、段部側面２３ｂと本体側面２３ａとを繋ぐように形成されている。
【００２１】
図２（ｂ）に示すように、側面２４，２５においても、側面２３の本体側面２３ａ、段部側面２３ｂ、段部裏面２３ｃと同様の本体側面２４ａ，２５ａ、段部側面２４ｂ，２５ｂ、段部裏面２４ｃ，２５ｃをそれぞれ備えている。図１（ａ）に示すように、段部側面２３ｂの長さ方向Ｌの両端には、前記貫通孔２０がそれぞれ形成されている。側面２４側の貫通孔２０から前記電線１９が導出されている。
【００２２】
図２（ａ）及び図３に示すように、ケース本体１２には、２つの鍔部３０が長さ方向Ｌにおいて互いに所定間隔をおいて形成されている。鍔部３０は、段部側面２３ｂから直角に突出するように、かつその裏側の面が裏面２６と面一となるように形成されている。鍔部３０は、その先端部が側面２３よりも外側（図２（ａ）における下側）に位置するように形成されている。また、その先端部には、締結体としてのネジＳの本体部を挿通するための挿通孔３０ａが形成されている。挿通孔３０ａは、側面２３よりも外側に位置するように鍔部３０に形成されている。
【００２３】
一方、図３に示すように、裏面２６は、本体裏面２６ａ、鍔収容段部裏面２６ｂ、鍔収容段部側面２６ｃを備えている。本体裏面２６ａは、裏面２６の大部分を占めるものであり、かつ裏面２６の側面２３側を構成している。前記鍔部３０の裏側の面は、この本体裏面２６ａと面一となっている。鍔収容段部裏面２６ｂは、本体裏面２６ａよりも表面２１側に形成されると共に、側面２２に繋がるように形成されている。鍔収容段部側面２６ｃは、鍔収容段部裏面２６ｂと本体裏面２６ａとを繋ぐように形成されている。ちなみに、鍔部３０の厚み（高さ方向Ｈの長さ）は、高さ方向Ｈにおける本体裏面２６ａから鍔収容段部裏面２６ｂまでの距離ｄ（長さ）よりも僅かに薄く（小さく）なるように形成されている。
【００２４】
図１（ｂ）に示すように、鍔収容段部裏面２６ｂには、３つの締結片３１，３２，３３が固定されている。締結片３１，３２は、鍔収容段部裏面２６ｂの長さ方向Ｌの両端に固定され、締結片３３は、鍔収容段部裏面２６ｂの長さ方向Ｌの中央に固定されている。締結片３１，３２，３３の厚み（高さ方向Ｈの長さ）は、距離ｄ（図３参照）と同じになるように形成されている。
【００２５】
図２（ａ）に示すように、各締結片３１，３２，３３は、その先端部には、ネジＳの本体部を挿通するための挿通孔３１ａ，３２ａ，３３ａが形成されている。挿通孔３１ａ，３２ａ，３３ａは、側面２２よりも外側（図２（ａ）における上側）に位置するように締結片３１，３２，３３にそれぞれ形成されている。このケース本体１２では、長さ方向Ｌにおいて、鍔部３０と締結片３１，３２，３３との形成位置が互いに干渉しない位置となるように形成されている。
【００２６】
また、図７（ａ）に示すように、段部裏面２３ｃの幅方向Ｗ長さは、電線１９の直径より長く形成されている。さらには、高さ方向Ｈにおける本体裏面２６ａから段部裏面２３ｃまでの長さ（図７（ｂ）参照）は、高さ方向ＨにおけるネジＳの頭と締結片３１（３２，３３）との合計の長さ（図７（ａ）参照）よりも長くなるように構成されている。
【００２７】
次に、複数のネオン管組込ユニット１１を密着状態で配列して壁に固定する場合について説明する。
まず、図５に示すように、一つ目のネオン管組込ユニット１１（以下、ネオン管組込ユニット１１Ａという）を、その側面２２が上方に位置するようにして壁Ｋに当接させる。そして、両鍔部３０の各挿通孔３０ａ及び締結片３１，３２，３３の挿通孔３１ａ，３２ａ，３３ａにネジＳの本体部を挿通し、その鍔部３０及び締結片３１，３２，３３を壁Ｋに固定する。
【００２８】
すると、図７（ｂ）に示すように、ネオン管組込ユニット１１Ａは、側面２２と繋がっている鍔収容段部裏面２６ｂが上方に位置しており、その鍔収容段部裏面２６ｂと壁Ｋとがなす隙間には、二つ目のネオン管組込ユニット１１（以下、ネオン管組込ユニット１１Ｂという）の鍔部３０を挿入することが可能となる。ちなみに、図７（ａ），（ｃ）に示すように、ネオン管組込ユニット１１Ａの締結片３１，３２，３３を壁Ｋに固定したネジＳが、ネオン管組込ユニット１１Ｂの段部裏面２３ｃに干渉することがない。
【００２９】
図６及び図７（ａ）〜（ｃ）に示すように、上記隙間にネオン管組込ユニット１１Ｂの鍔部３０を挿入し、かつネオン管組込ユニット１１Ａの側面２２とネオン管組込ユニット１１Ｂの側面２３とを当接させると、該ネオン管組込ユニット１１Ｂは仮止め状態となり、作業者は、このネオン管組込ユニット１１Ｂの壁Ｋへの固定作業を円滑に行える。このネオン管組込ユニット１１Ｂは、締結片３１，３２，３３にのみネジＳにてネジ止めし、鍔部３０にはネジ止めを行う必要がない。この理由は、ネオン管組込ユニット１１Ｂの鍔部３０が壁Ｋから離れる方向（壁Ｋと直交する方向）へ移動しようとしても、ネオン管組込ユニット１１Ａの鍔収容段部裏面２６ｂに係止することにより、その鍔部３０の移動を規制するからである。また、ネオン管組込ユニット１１Ｂの壁Ｋの表面に沿う方向への移動は、ネオン管組込ユニット１１Ｂの締結片３１，３２，３３が壁Ｋに固定されていることにより規制される。このため、ネオン管組込ユニット１１Ｂの鍔部３０を壁Ｋに固定するために、ネジＳを用いる必要がない分、作業者は、ネオン管組込ユニット１１Ｂの固定作業を円滑に行うことができる。図示はしないが、３つ目以降のネオン管組込ユニット１１を、ネオン管組込ユニット１１Ｂの固定方法と同様の固定方法で順に壁へ固定してゆくことにより、複数のネオン管組込ユニット１１の固定作業を円滑に行うことができる。
【００３０】
従って、本実施形態によれば、以下の作用・効果を得ることができる。
（１）ネオン管組込ユニット１１は、ケース本体１２から導出した電線１９を段部側面２３ｂと段部裏面２３ｃとがなす空間に配置することができるため、導出した電線１９の全体をケース本体１２の表側から見えないように配置することが可能となる。また、複数のネオン管組込ユニット１１を連結した場合では、図７（ｂ）に示すように、ネオン管組込ユニット１１Ｂの段部側面２３ｂ及び段部裏面２３ｃ、ネオン管組込ユニット１１Ａの側面２２、壁Ｋに囲まれた空間に電線１９を配置することができる。よって、ネオン管組込ユニット１１は、ケース本体１２の表側からの見栄えを向上させることができる。
【００３１】
（２）電線１９は、段部側面２３ｂに形成された貫通孔２０から導出されており、その導出されている根本部分もネオン管組込ユニット１１の表側からは視認できないようにすることができるため、ケース本体１２の表側からの見栄えをよりいっそう向上させることができる。
【００３２】
（３）２つのネオン管組込ユニット１１Ａ，１１Ｂを密着状態で配列して壁Ｋに固定する場合に以下に示すようにして固定することが可能となる。一つ目のネオン管組込ユニット１１Ａを壁Ｋに固定した後、二つ目のネオン管組込ユニット１１Ｂを固定する際に、ネオン管組込ユニット１１Ａの鍔収容段部裏面２６ｂと壁Ｋとがなす隙間にネオン管組込ユニット１１Ｂの鍔部３０を挿入することにより、壁Ｋの表面と直交する方向におけるその鍔部３０の移動を抑制することが可能となる。即ち、ネオン管組込ユニット１１Ｂの鍔部３０は、壁Ｋに対して固定されるのではなくネオン管組込ユニット１１Ａの鍔収容段部裏面２６ｂに係止することで固定される。そのため、ネオン管組込ユニット１１Ｂの鍔部３０を壁Ｋに固定するために、ネジＳを用いる必要がない。よって、ネジＳの使用数量、及び組み付け工数を削減することができる。
【００３３】
（４）鍔部３０にネジＳの本体部を挿通可能な挿通孔３０ａを形成した。そのため、鍔部３０の挿通孔３０ａにネジＳの本体部を挿通して、ネオン管組込ユニット１１を壁Ｋに固定することができる。
【００３４】
（５）また、ネジＳの本体部を挿通可能な挿通孔３１ａ，３２ａ，３３ａを有する締結片３１，３２，３３を鍔収容段部裏面２６ｂに固定した。そのため、挿通孔３１ａ，３２ａ，３３ａの挿通孔３１ａ，３２ａ，３３ａにネジＳの本体部を挿通して、ネオン管組込ユニット１１を壁Ｋに固定することができる。
【００３５】
（６）ネオン管組込ユニット１１は、長さ方向Ｌにおいて、鍔部３０と締結片３１，３２，３３との形成位置が互いに干渉しない位置に形成した。よって、図６に示すように、複数のネオン管組込ユニット１１を密着状態で配列して壁Ｋに固定する場合に、互いに隣り合う一方のネオン管組込ユニット１１（１１Ｂ）の鍔部３０と他方のネオン管組込ユニット１１（１１Ａ）の締結片３１，３２，３３とが互いに干渉せず、好適に各ネオン管組込ユニット１１を配列できる。
【００３６】
なお、前記実施形態は、以下の態様に変更してもよい。
・前記実施形態では、ネオン管組込ユニット１１は、鍔部３０を２つ設けていたが、鍔部３０を一つまたは３以上の複数個設けてもよい。もちろん、鍔部３０の数を変更した場合でも、長さ方向Ｌにおいて、この鍔部３０と締結片３１，３２，３３との形成位置が互いに干渉しない位置に形成する。
【００３７】
・前記実施形態では、ネオン管組込ユニット１１は、締結片（３１，３２，３３）を３つ設けていたが、その締結片を一つまたは３個以外の複数個設けてもよい。もちろん、締結片の数を変更した場合でも、長さ方向Ｌにおいて、この締結片と鍔部３０との形成位置が互いに干渉しない位置に形成する。
【００３８】
・前記実施形態では、鍔部３０に挿通孔３０ａを形成していたが、その挿通孔３０ａを省略してもよい。
・前記実施形態では、締結体としてネジＳを用いていたが、木ネジ、ボルト、リベット等の締結体を用いて壁Ｋにネオン管組込ユニット１１を固定するようにしてもよい。
【００３９】
・前記実施形態では、鍔部３０の厚み（高さ方向Ｈの長さ）は、高さ方向Ｈにおける本体裏面２６ａから鍔収容段部裏面２６ｂまでの距離ｄ（長さ）よりも僅かに薄く（小さく）なるように形成していた。これに限らず、鍔部３０の厚み（高さ方向Ｈの長さ）は、高さ方向Ｈにおける本体裏面２６ａから鍔収容段部裏面２６ｂまでの距離ｄ（長さ）以下でかつ０よりも長くなるように形成してあればよい。
【００４０】
・前記実施形態では、裏面２６は、本体裏面２６ａ、鍔収容段部裏面２６ｂ、鍔収容段部側面２６ｃを備えていたが、鍔収容段部裏面２６ｂ、鍔収容段部側面２６ｃを省略してもよい。この場合、締結片３１，３２，３３は、裏面２６（本体裏面２６ａ）に固定する。或いは、締結片３１，３２，３３を側面２２から突出するように、かつ締結片３１，３２，３３の裏側の面を裏面２６（本体裏面２６ａ）と面一となるように形成する。
【００４１】
・前記実施形態では、貫通孔２０を段部側面２３ｂに形成するようにしていたが、図８に示すように、段部側面２３ｂと段部裏面２３ｃとを跨ぐように貫通孔２０を形成してもよい。また、図９に示すように、段部裏面２３ｃのみに貫通孔２０を形成するようにしてもよい。また、貫通孔２０を、段部側面２４ｂ，２５ｂ及び段部裏面２４ｃ，２５ｃのうち少なくとも何れか一つに形成するようにしてもよい。
【００４２】
・さらには、貫通孔２０を、本体側面２３ａ，２４ａ，２５ａに形成してもよい。このように構成しても、ケース本体１２の貫通孔２０から導出した電線１９を段部側面２３ｂと段部裏面２３ｃとがなす空間に配置することができるため、導出した電線１９の大部分をケース本体１２の表側から見えないように配置することができる。
【図面の簡単な説明】
【００４３】
【図１】（ａ），（ｂ）は、本実施形態のネオン管組込ユニットの斜視図。
【図２】（ａ）は、ネオン管組込ユニットの平面図。（ｂ）は、図２（ａ）のＡ−Ａ線矢視断面図。
【図３】図２（ｂ）のＢ−Ｂ線矢視断面図。
【図４】スペーサ及び載置板の斜視図。
【図５】ネオン管組込ユニットを壁に固定した状態を示す作用図。
【図６】２つのネオン管組込ユニットを密着状態で配列して壁に固定した状態を示す作用図。
【図７】（ａ）は、図６のＣ−Ｃ線矢視断面図。（ｂ）は、図６のＤ−Ｄ線矢視断面図。（ｃ）は、図６のＥ−Ｅ線矢視断面図。
【図８】態様の変更におけるネオン管組込ユニットの斜視図。
【図９】態様の変更におけるネオン管組込ユニットの斜視図。
【符号の説明】
【００４４】
１１，１１Ａ，１１Ｂ…ネオン管組込ユニット、１２…ケース本体、１５Ｂ，１５Ｇ，１５Ｒ…ネオン管、１９…電線、２０…貫通孔、２１…表面、２２…第２側面としての側面、２３，２４，２５…側面、２３ａ，２４ａ，２５ａ…本体側面、２３ｂ…第１側面としての段部側面、２３ｃ，２４ｃ，２５ｃ…段部裏面、２４ｂ，２５ｂ…段部側面、２６…裏面、２６ａ…本体裏面、２６ｂ…鍔収容段部裏面、２６ｃ…鍔収容段部側面、３０…鍔部、３０ａ，３１ａ，３２ａ，３３ａ…挿通孔、３１，３２，３３…締結片、Ｈ…高さ方向、Ｌ…長さ方向、Ｓ…締結体としてのネジ、Ｗ…幅方向。
【図１】
2006066213.tif 000003
【図２】
2006066213.tif 000004
【図３】
2006066213.tif 000005
【図４】
2006066213.tif 000006
【図５】
2006066213.tif 000007
【図６】
2006066213.tif 000008
【図７】
2006066213.tif 000009
【図８】
2006066213.tif 000010
【図９】
2006066213.tif 000011